(57)【要約】【課題】偽造券を分離することができ、偽造券取扱い資格者のみが偽造券を取り扱うことができる紙葉類処理装置を提供する。【解決手段】本発明の紙葉類処理装置３では、入金時や出金時に、偽造券を検出する機能を有し、不明券を返却口１７へ返却し、偽造券を出金口１６（特定収納口に相当）へ分別して搬送する。また、偽造券を搬送する出金口１６には、前記のようにシャッタ１６Ａを設置されている。さらに、紙葉類処理装置３では、偽造券を取り出す際には、資格者であるかの認証が必要である。また、紙葉類処理装置３は、偽造券を検出した場合には、窓口担当者（テラー）が使用する窓口端末装置２及び資格者が使用する資格者端末装置４に通知し、偽造券の処置を促す機能を有する。これにより、資格者は、その権限で、装置を引き出すことなく出金口から偽造券のみを取り出すことができる。【選択図】図４
2010102647.tif 000002
【特許請求の範囲】
【請求項１】
入金口、返却口、及び出金口を装置本体前面に設けた紙葉類処理装置において、
処理対象の紙葉類毎に、その特徴量を抽出する特徴抽出部と、
第１カテゴリに属する種類の紙葉類毎に、その特徴量を記憶する第１データベースと、
第２カテゴリに属する種類の紙葉類毎に、その特徴量を記憶する第２データベースと、
前記特徴抽出部が抽出した特徴量を、前記第１データベース及び前記第２データベースが記憶する紙葉類毎の特徴量と照合し、第１カテゴリに属する紙葉類、第２カテゴリに属する紙葉類、またはそれ以外の紙葉類のいずれであるかを識別する識別部と、
前記識別部が識別した前記第２カテゴリに属する紙葉類を前記入金口、前記返却口、または前記出金口のいずれかである特定収納口に搬送し、前記第２カテゴリ以外に属する紙葉類を前記特定収納口以外に搬送する搬送部と、
を備えた紙葉類処理装置。
【請求項２】
前記第１カテゴリに属する紙葉類は真券であり、前記第２カテゴリに属する紙葉類は偽造券である請求項１に記載の紙葉類処理装置。
【請求項３】
前記特定収納口は、前記出金口である請求項１または２に記載の紙葉類処理装置。
【請求項４】
前記第２カテゴリに属する紙葉類が前記特定収納口に収納されているときには、この特定収納口に設けられたシャッタの開放を制限するロック部と、
認証情報を受け付けると、その適否を判定する認証部と、
を備え、
前記ロック部は、前記認証部が認証情報を適正と判定すると、前記シャッタの開放制限を解除する請求項１乃至３のいずれかに記載の紙葉類処理装置。
【請求項５】
装置本体前面に設けられた入金口、返却口、及び出金口と、
処理対象の紙葉類毎にその紙葉類の特徴量を抽出する特徴抽出部と、
第１カテゴリに属する種類の紙葉類毎に、その特徴量を記憶する第１データベースと、
第２カテゴリに属する種類の紙葉類毎に、その特徴量を記憶する第２データベースと、
紙葉類を搬送する搬送部と、
を備えた紙葉類処理装置を制御するコンピュータに、
前記特徴抽出部が抽出した特徴量を、前記第１データベース及び前記第２データベースが記憶する紙葉類毎の特徴量と照合し、第１カテゴリに属する紙葉類、第２カテゴリに属する紙葉類、またはそれ以外の紙葉類のいずれであるかを識別する識別手順、
前記識別手順で識別した前記第２カテゴリに属する紙葉類を前記入金口、前記返却口、または前記出金口のいずれかである特定収納口に、前記第２カテゴリ以外に属する紙葉類を前記特定収納口以外に、それぞれ前記搬送部により搬送させる搬送手順、
を実行させるための紙葉類処理プログラム。
【発明の詳細な説明】
【技術分野】
【０００１】
本発明は、紙葉類を識別して設定された搬送先へ搬送する紙葉類処理装置及び紙葉類処理プログラムに関する。
【背景技術】
【０００２】
金融機関の窓口には、窓口担当者（金銭出納係）の使用する端末と、紙葉類処理装置が設置されている。紙葉類処理装置は、紙葉類の入金、出金及び整理を行うための装置である。
【０００３】
従来の紙葉類処理装置は、入金口に投入された紙葉類が不明券の場合には、その紙葉類を返却口から返却していた。（例えば、特許文献１参照。）。
【特許文献１】特開２００７−３１０５４７号公報
【発明の開示】
【発明が解決しようとする課題】
【０００４】
従来の紙葉類処理装置は、入金口に投入された紙葉類が真券であるかどうかを判定し、真券で無い場合には、不明券として返却口に返却していた。そのため、従来の紙葉類処理装置では、不明券の中に偽造券が含まれているのかどうかがわからないという問題があった。
【０００５】
また、偽造券発見時には偽装券取扱い資格者が偽造券を回収するという条令が制定された国もあり、偽造券発見時には偽装券取扱い資格者が対応する必要がある。このとき、発見された偽造券の種類や枚数に応じて公安機関への報告も必要になる。
【０００６】
しかし、従来の紙葉類処理装置では、偽造券のみを取り出すことができないという問題があった。
【０００７】
そこで、本発明は、偽造券のみを分離することができる紙葉類処理装置及び紙葉類処理プログラムを提供することを目的とする。
【課題を解決するための手段】
【０００８】
この発明では、第１カテゴリに属する種類の紙葉類毎に、その特徴量を記憶する第１データベース、及び第２カテゴリに属する種類の紙葉類毎に、その特徴量を記憶する第２データベースが記憶する紙葉類毎の特徴量と照合する。そして、第１カテゴリに属する紙葉類、第２カテゴリに属する紙葉類、またはそれ以外の紙葉類のいずれであるかを識別する。さらに、識別部が識別した第２カテゴリに属する紙葉類を入金口、返却口、または出金口のいずれかである特定収納口に搬送し、第２カテゴリ以外に属する紙葉類を前記特定収納口以外に搬送する。これにより、紙葉類を３種類に分類できるので、例えば、入金口から入金される紙葉類が真券・偽造券・不明券の３つのカテゴリの券種から成る場合には、偽造券のみを分離することが可能となる。また、第２カテゴリに属
する紙葉類を、装置本体前面に設けられた特定収納口から容易に取り出すことができる。
【０００９】
また、第１カテゴリに属する紙葉類を真券、第２カテゴリに属する紙葉類を偽造券とすることで、偽造券に対して真券や不明券が混ざることが無く、偽造券のみを取り出すことができる。また、特定収納口を返却口または出金口にすることによって、偽造券を装置本体前面に設けられた特定収納口から容易に取り出すことができる。
【００１０】
また、入金処理時には、通常、入金口から紙葉類が挿入され、返却口から不明券が返却されるが、特定収納口を出金口とすることで、入金処理時には使用しない出金口に第２カテゴリに属する紙葉類が搬送される。そのため、入金処理に支障を来たすことがなく、入金・返却・収納の各処理を行うことができる。また、従来の紙葉類処理装置は、通常、入金口、返却口、及び出金口を装置本体前面に備えているので、紙葉類処理装置を改造したり新たに作成したりすることなく、搬送処理を変更するだけで、第２カテゴリに属する紙葉類のみを取り出すことができる。
【００１１】
また、ロック部は、前記認証部が認証情報を適正と判定すると、前記シャッタの開放制限を解除するように構成することで、特定の人のみが第２カテゴリに属する紙葉類を取り出すことができる。
【発明の効果】
【００１２】
本発明によれば、紙葉類を３種類に分類できるので、紙葉類の券種が３種類の場合には、どの券種も確実に分離ことができる。また、第２のカテゴリに属する紙葉類のみを分離して、装置本体前面に設けられた特定収納口に搬送するので、第２カテゴリに属する紙葉類のみを特定収納口から容易に取り出すことができる。また、入金口、返却口、及び出金口を装置本体前面に備えた従来の紙葉類処理装置を、改造したり新たに作成したりすることなく、搬送処理を変更するだけで、紙葉類を３種類に分類できる。
【発明を実施するための最良の形態】
【００１３】
まず、紙葉類処理システムの構成の概略を説明する。図１は、本発明の実施形態に係る紙葉類処理装置の外観を示す紙葉類処理システムの概略構成図である。以下の説明では、紙葉類として紙幣を処理する紙葉類処理装置について説明する。
【００１４】
紙葉類処理システム１は、窓口端末装置２と、紙葉類処理装置３と、偽造券取扱い資格者が使用する資格者端末装置４が、通信ネットワーク５を介して接続されている。
【００１５】
窓口端末装置２は、銀行の窓口担当者が使用する端末であり、指紋センサ７及びカードリーダ８が接続されている。指紋センサ７は、生体認証を行うためのセンサであり、資格者の認証を行う際に指紋を読み取らせるためのものである。カードリーダ８は、資格者が認証時に指紋センサ７に指紋を読み取らせる際に、照合用の認証情報が記録されたカードを読み取る。
【００１６】
紙葉類処理装置３は、窓口担当者が紙葉類の入金、出金及び整理を行うために使用するための装置である。
【００１７】
資格者端末装置４は、偽造券取扱い資格者が使用する端末である。なお、偽造券取扱い資格者（以下、単に資格者と称する。）は、偽造券発見時に偽造券を回収することができる特定の資格を持つ者である。
【００１８】
なお、図１には、１台の紙葉類処理装置３に対して１台の窓口端末装置２を設けた構成を示しているが、１台の紙葉類処理装置３に対して複数台の窓口端末装置２を設けるようにしても良い。また、このように構成したときには、いずれかの窓口端末装置２の操作により紙葉類処理装置３が動作している最中は他の窓口端末装置からの操作を受け付けないように構成すると良い。
【００１９】
紙葉類処理装置３は、その装置本体前面に、スタートボタン１４、入金口１５、出金口１６、及び返却口１７が設けられている。また、出金口１６は、シャッタと、シャッタを開閉する開閉部を備えている。
【００２０】
スタートボタン１４は、紙幣の預け入れや整理を開始する際に窓口対応者が押下するためのものである。
【００２１】
入金口１５は、窓口対応者が紙幣の受け入れや整理をする際に紙葉類処理装置３内に紙幣を投入する口である。
【００２２】
出金口１６は、出金紙幣を放出するための口である。出金口１６は、シャッタ１６Ａ（不図示）と、シャッタを開閉する開閉部１６Ｂ（不図示）を備えている。
【００２３】
返却口１７は、リジェクト券を放出するための口である。
【００２４】
次に、紙幣を搬送する搬送路と搬送先（搬送系統）について説明する。図２は、紙葉類処理装置の搬送系統を示す構成図である。紙葉類処理装置３は、紙幣を入出金したり収納したりするために、入金口１５、出金口１６、返却口１７、一時保留部２１、収納部２３ａ〜２３ｄ、及び回収部２４を備えている。また、これら各部は搬送路２５により接続されている。また、搬送路２５の途中には、識別部２２が設けられている。また、搬送路には、紙幣の通過を検知する通過センサ、紙幣の搬送方向を切り替えるゲート、紙幣を搬送する搬送ローラ、及び搬送ローラを駆動するモータがそれぞれ複数個設けられている。また、入金口１５、出金口１６、及び返却口１７には、紙幣が搬送されたことを検出するための紙幣検出センサが設けられている。なお、紙葉類処理装置３において、上記の搬送路、搬送ローラ、及びモータを含む構成を搬送部１１２と称する。
【００２５】
一時保留部２１は、計数した紙幣を一時的に集積する。
【００２６】
識別部２２は、特徴抽出部に相当し、処理対象の紙葉類毎（紙幣毎）にその特徴量を抽出して、紙幣の金種、真偽、向き、損傷の程度を判別する。
【００２７】
収納部２３ａ〜２３ｄは紙幣を種類別に集積する。
【００２８】
回収部２４は、出金処理時に、識別部２２によってリジェクトされた紙幣を収納する。
【００２９】
次に、紙葉類処理システム１を制御するための構成（制御系統）について説明する。図３は、紙葉類処理システムの各装置の制御ブロック図である。
【００３０】
窓口端末装置２は、操作部１０３、表示部１０４、記憶部１０６、通信部１０７、及びインタフェース１０８が、それぞれ制御部１０１に接続されており、制御部１０１が各部を制御する。また、窓口端末装置２には、インタフェース１０８を介して指紋センサ７とカードリーダ８が接続されている。
【００３１】
紙葉類処理装置３は、通信部１１１、搬送部１１２、記憶部１１３、識別部２２、及び出金口１６に設けられたシャッタ１６Ａを開閉するための開閉部１６Ｂを備えている。制御部１１０は、これら各部を制御する。
【００３２】
通信部１１１は、窓口端末装置２の通信部１０７と通信ネットワークを介して通信する。
【００３３】
記憶部１１３は、紙葉類処理装置３の設定情報や識別した紙幣の識別結果を記憶する。また、記憶部１１３は、真券（第１カテゴリに属する種類）の紙幣（紙葉類）毎に、その特徴量を記憶する第１データベース１１３Ａと、偽造券（第２カテゴリに属する種類）の紙幣（紙葉類）毎に、その特徴量を記憶する第２データベース１１３Ｂと、を格納している。すなわち、紙葉類処理装置３を日本で使用する場合、第１データベース１１３Ａは、１万円札・５千円札・２千円札・１千円札の各真券のデータ（特徴量）を記憶している。また、第２データベース１１３Ｂは、これまで発見されている偽造券のデータ（特徴量）を記憶している。また、記憶部１１３は、制御部１１０が実行する制御プログラムを記憶している。
【００３４】
制御部１１０は、ロック部に相当し、出金口１６に設けられたシャッタ１６Ａの開閉機構１６Ｂを制御する。また、制御部１１０は、認証部に相当し、偽造券が収納された出金口１６の開放制限を行う。また、制御部１１０は、偽造券を検出した場合には、窓口担当者（テラー）が使用する窓口端末装置２及び資格者が使用する資格者端末装置４に通知し、偽造券の処置を促す機能を有する。このような機能を備えることで、窓口担当者（テラー）や資格者は、偽造券が出金口へ搬出されたことをすぐに知ることができる。
【００３５】
次に、紙葉類処理装置３の動作を説明する。図４は、入金開始から偽造券検出を経て取引終了までの紙葉類処理システムの動作を説明するためのフローチャートである。紙葉類処理装置３では、制御部（コンピュータに相当）１１０は、記憶部１１３から読み出した紙葉類処理プログラムに基づいて、以下の処理を実行する。
【００３６】
［識別手順］
入金処理時には、紙葉類処理装置３の制御部１１０は、入金口１５に挿入された紙幣を、搬送路２５を介して識別部２２まで搬送させる。そして、制御部１１０は、識別部２２において入金紙幣を識別する。制御部１１０は、記憶部１１３に格納されている第１データベース１１３Ａ及び第２データベース１１３Ｂを読み出し、このデータベースに基づいて入金紙幣を真券とそれ以外に識別する。また、制御部１１０は、記憶部１１３に格納されている第２データベース１１３Ｂを読み出し、このデータベースに基づいて偽造券とそれ以外（つまり不明券）に識別する。これにより、入金紙幣を真券・偽造券・不明券の３種類に識別する。
【００３７】
［搬送手順］
続いて、制御部１１０は、この識別結果に応じて入金紙幣の搬送先を切り替える。すなわち、制御部１１０は、識別の結果、紙幣が真券である場合（Ｓ１００：Ｙ）、その紙幣（真券）を識別部２２から搬送路２５を経由して一時保留部２１に搬送させる（Ｓ１０２）。一時保留部２１に搬送された紙幣は、窓口端末装置２による操作に応じて収納または返却される。すなわち、そのまま入金処理を続ける指示があった場合には（Ｓ１０３：Ｙ）、制御部１１０は、紙幣を一時保留部２１から搬送路２５を介して収納部３３へ搬送させる（Ｓ１０４）。
【００３８】
一方、制御部１１０は、入金処理を中止する指示を受け付けた場合（Ｓ１０３：Ｎ）、紙幣を、一時保留部２１から搬送路２５を介して返却口１７に搬送させる（Ｓ１０５）。窓口対応者は、返却口１７に搬送された紙幣を取り出して顧客に返却する。
【００３９】
また、制御部１１０は、識別の結果、紙幣が偽造券である場合（Ｓ１００：Ｎ、Ｓ１０１：Ｙ）、偽造券を識別部２２から搬送路２５を通ってシャッタ１６Ａを備えた出金口１６へ搬送させる（Ｓ１０６）。このとき、制御部１１０は、開閉機構１６Ｂを制御してシャッタ１６Ａの開放を制限してシャッタを閉の状態にして、窓口担当者が出金口１６から偽造券を取り出せないようにする。
【００４０】
また、制御部１１０は、通信部１１１を介して窓口端末装置２及び資格者端末装置４に、偽造券を検出した旨の信号を送信する（Ｓ１０７）。
【００４１】
その後、窓口端末装置２の制御部１１０は、偽造券を取り出しに来た資格者の認証を行い（Ｓ１０８）、認証結果が適正であればシャッタ付きの出金口１６のシャッタ１６Ａを開放する（Ｓ１０９）。これにより、資格者は、出金口１６から偽造券を取り出す。
【００４２】
また、制御部１１０は、識別の結果、紙幣が不明券である場合（Ｓ１００：Ｎ、Ｓ１０１：Ｎ）、その不明券を識別部２２から搬送路２５を通って返却口１７に搬送させる（Ｓ１１０）。窓口対応者は、返却口１７に搬送された不明券を取り出して、顧客に返却する。
【００４３】
このように、紙葉類処理装置３は、偽造券を出金口１６に搬送させる。また、第２カテゴリ以外に属する紙葉類である真券及び不明券は、特定収納口以外の搬送先である一時保留部２１、収納部２３ａ〜２３ｄ、または返却口１７に搬送させる。
【００４４】
次に、入金時に偽造券を検出した時の通知方法を説明する。図５は、入金の偽造券検出時の通知方法を示す概念図である。紙葉類処理装置３において入金の偽造券が検出された際（Ｓ２０１）、紙葉類処理装置３から通信ネットワーク５を介して偽造券検出通知が、偽造券を検出した取引を行っている窓口担当者用の窓口端末装置２及び資格者用の資格者端末装置４に送られる（Ｓ２０２及びＳ２０３）。偽造券検出通知が送られた窓口端末装置２及び資格者端末装置４は、表示部１０４及び１３９に偽造券検出情報を表示する（Ｓ２０４及びＳ２０５）。
【００４５】
図６は、窓口担当者用の端末装置及び資格者用の専用端末装置の表示部へ表示する偽造券検出情報の表示例である。
【００４６】
偽造券検出情報２０１及び２０９として、検出した偽造券の種類と枚数の情報２１１及び２１９を付け加えることによって、検出された偽造券に対する処置の支援を行うことができる。また、窓口端末装置２の表示部１０４に表示する偽造券検出情報２０１には、資格者の認証が行えるよう、偽造券取扱い資格者認証開始ボタン２２１を表示する。また、資格者端末装置４の表示部１３９に表示する偽造券検出情報２０９には、どの紙葉類搬送装置が偽造券を検出したか特定できるように、偽造券を検出した取引を行っている窓口端末装置２及び紙葉類処理装置３の情報も通知すると良い。
【００４７】
次に、ステップＳ１０８の処理である資格者の認証処理について詳細を説明する。図７は、資格者の認証処理の詳細を説明するためのフローチャートである。
【００４８】
紙葉類処理装置３は、入金の偽造券を検出すると（Ｓ２３１）、窓口端末装置２及び資格者端末装置４に、偽造券を検出したことを通知する（Ｓ２３２）。
【００４９】
窓口端末装置２及び資格者端末装置４は、表示部１０４及び１３９に偽造券検出情報２０１及び２０９を表示する（Ｓ２５１）。資格者は、この偽造券検出情報より偽造券を検出した取引を行っている窓口端末装置２を確認する操作を行う（Ｓ２５２）。窓口端末装置２または資格者端末装置４は、偽造券を検出した紙葉類処理装置３の確認操作を受け付けると（Ｓ２５３）、偽造券を検出した紙葉類処理装置３の端末番号や設置場所など紙葉類処理装置３を特定できる情報を表示する（Ｓ２５４）。
【００５０】
窓口担当者は、この情報を確認すると、資格者にこの情報を連絡する。
【００５１】
資格者は、窓口担当者から偽造券検出の連絡を受けるか、または資格者端末装置４で偽造券の検出情報を取得すると、偽造券を検出した取引を行っている紙葉類処理装置３の設置場所へ移動する。そして、資格者は、窓口端末装置２の表示部１０４に表示された偽造券取扱い資格者認証開始ボタン２２１を操作して、偽造券取扱い資格者認証処理を開始する。
【００５２】
窓口端末装置２の制御部１０１は、資格者認証開始ボタン２２１の操作を検出すると（Ｓ２３３）、認証用のカードの挿入を促す表示を行う（Ｓ２３４）。資格者は、この表示にしたがって資格者専用の認証用のカードをカードリーダ８に挿入する。制御部１０１は、認証用のカードが挿入されたことを検出すると（Ｓ２３５）、カードから認証用の指紋の情報を読み出す。
【００５３】
続いて、制御部１０１は、指紋センサ７で資格者の指紋を読み取る旨の表示を行う（Ｓ２３６）。制御部１０１は、資格者が指紋センサ７に指を接触されたことを検出すると（Ｓ２３７）、指紋センサ７に人差し指の指紋を読み取らせて、カードから読み出した認証用の指紋情報と、指紋センサで読み取った指紋情報を照合し、適否を判定する（認証処理を行う）。また、制御部１０１は、カードリーダに挿入されたカードの番号を、記憶部１０６が記憶する資格者のカード番号リストと照合する（Ｓ２３８）。
【００５４】
制御部１０１は、照合の結果、認証情報及びカード番号が共に適正と判定すると（Ｓ２３９）、表示部１３に、認証情報が適正である旨の表示を行うとともに、開放制限を解除する。すなわち、制御部１０１は、通信部１０７・１１０を介して、紙葉類処理装置３の制御部１１０に認証情報を適正と判定したことを送信する。制御部１１０は、これを受信すると、開閉機構１６Ｂを動作させて、出金口１６のシャッタ１６Ａを開放する（Ｓ２４０）。
【００５５】
また、制御部１０１は、照合の結果、認証情報またはカード番号の少なくとも一方が不適と判定すると、表示部１３に認証情報が不適である旨の表示をさせて、処理を終了する（Ｓ２４１）。
【００５６】
これにより、資格者は、偽造券を検出した紙葉類処理装置３の出金口１６から偽造券を取り出して、偽造券に対して必要な処置を行うことができる。また、窓口担当者は資格者が偽造券を検出した紙葉類処理装置３から偽造券を取り出した後に取引を続行することができる。また、認証が不適な場合には、シャッタ１６Ａを開放しないので、資格者以外が偽造券を取り出すのを防止できる。
【００５７】
また、本願発明では、紙幣を真券・偽造券・不明券の３種類に分類できるので、誤って偽造券を他の券と混ぜて窓口に来た顧客に返却したり、手元現金としたりすることを防止できる。
【００５８】
また、窓口対応者及び資格者に偽造券検出を通知した上で、偽造券取扱い資格者以外には偽造券を取り出すことができないので、偽造券の取り扱いミスや、偽造券を不正に取り扱うことがなくなる。
【００５９】
以上の説明では、紙葉類として紙幣を処理する紙葉類処理装置を例に挙げて説明したが、本発明はこれに限るものではない。すなわち、本発明において、紙葉類とは、紙幣、小切手、有価証券を含み、紙葉類処理装置とは、紙幣、小切手、有価証券等の紙葉類の取り扱いや管理を行う装置であれば良い。
【００６０】
また、上記の説明では、入金時の処理について説明したが、これに限るものではない。例えば、出金処理時には、紙幣は出金口１６に搬送されるので、入金口１５及び返却口１７はこの処理時には使用しない。そのため、出金処理時には、入金口１５または返却口１７に偽装券を搬送し、資格者のみが取り出せるように構成すると良い。すなわち、入金口１５または返却口１７にシャッタを備えていない場合には、シャッタを設けておく。また、入金口１５に紙幣を搬送する機構が無い場合には、入金口１５に紙幣を搬送できるように、搬送機構を設けておく。そして、出金処理時に偽造券を検出した場合には、特定収納口であるシャッタ付の入金口１５またはシャッタ付の返却口１７に偽造券を搬送して、資格者による認証処理が行われるまではシャッタの開放を制限するように構成すると良い。
【００６１】
このように構成することで、入金口、返却口、及び出金口を備えた従来の紙葉類処理装置の処理プログラムを変更したり、一部の構成を追加・変更するだけで、紙葉類処理装置を大幅に改造したり新たに作成したりすることなく、紙葉類を３種類に分類できる。
【００６２】
また、上記の説明では、紙葉類処理装置３が偽造券を検出した際には、紙葉類処理装置３を操作して認証処理を行うものとしたが、これに限らず、偽造券を検出した際に、偽造券を検出した紙葉類処理装置３から認証処理を行うように構成しても良い。この際には、紙葉類処理装置３に認証用のカードリーダ（カード読取り装置）８や指紋センサ７を設けておく必要がある。
【００６３】
また、上記の説明では資格者の指紋を用いて認証処理を行う例を記載したが、これに限らず、資格者のみが偽造券を取り出すことができるように、資格者を確実に特定できる方法であれば他の方法で認証を行っても良い。例えば、網膜や虹彩や静脈パターンなどを用いた生体認証を行う構成にすると良い。
【図面の簡単な説明】
【００６４】
【図１】本発明の実施形態に係る紙葉類処理装置の外観を示す紙葉類処理システムの概略構成図である。
【図２】紙葉類処理装置の搬送系統を示す構成図である。
【図３】紙葉類処理装置３の制御ブロック図である。
【図４】入金開始から偽造券検出を経て取引終了までの紙葉類処理システムの動作を説明するためのフローチャートである。
【図５】入金の偽造券検出時の通知方法を示す概念図である。
【図６】窓口担当者用の端末装置及び資格者用の専用端末装置の表示部へ表示する偽造券検出情報の表示例である。
【図７】偽造券取扱い資格者の認証から偽造券処置までの詳細のフローチャートである。
【符号の説明】
【００６５】
１‥紙葉類処理システム  ２‥窓口端末装置  ３‥紙葉類搬送装置  ４‥資格者端末装置  ５‥通信ネットワーク  １５‥入金口１６‥出金口  １７‥返却口
【図１】
2010102647.tif 000003
【図２】
2010102647.tif 000004
【図３】
2010102647.tif 000005
【図４】
2010102647.tif 000006
【図５】
2010102647.tif 000007
【図６】
2010102647.tif 000008
【図７】
2010102647.tif 000009